(57)【要約】【課題】左右に長い足場板であっても谷折りに折畳んで高さをコンパクトに納めることのできる折畳み式足場を提供する。【解決手段】主脚１０と、主脚に昇降自在に組付けられたスライダ６０と、一端側がスライダに回動自在に支持された左右一対の板部材３０からなる足場板３０ａと、一端側が主脚の下部に回動自在に支持され、他端側が板部材に回動自在に支持されて、スライダの上昇に応じて足場板を展開し、スライダの下降に応じて足場板を谷折りに折畳む第一アーム４０と、板部材に回動自在に支持された補助脚２０と、一端側がスライダに回動自在に支持され、他端側が補助脚に回動自在に支持されて、補助脚を、スライダの上昇に応じて展開状態の足場板の支えとなる立設状態とし、スライダの下降に応じて折畳み状態の足場板に沿わした収納状態とする第二アーム５０と、足場板を展開状態及び折畳み状態でロックするロック機構７０とを備える。【選択図】図４
2013002177.tif 000002
【特許請求の範囲】
【請求項１】
前後一対の主脚と、
該主脚に昇降自在に組付けられたスライダと、
夫々前記主脚の左右に配置されると共に一端側が前記スライダに回動自在に支持された左右一対の板部材からなる足場板と、
一端側が前記主脚の下部に回動自在に支持され、他端側が前記板部材に回動自在に支持されて、前記スライダの上昇に応じて前記足場板を展開し、前記スライダの下降に応じて前記足場板を谷折りに折畳む第一アームと、
前記板部材に回動自在に支持された補助脚と、
一端側が前記スライダに回動自在に支持され、他端側が前記補助脚に回動自在に支持されて、前記補助脚を、前記スライダの上昇に応じて展開状態の足場板の支えとなる立設状態とし、前記スライダの下降に応じて折畳み状態の足場板に沿わした収納状態とする第二アームと、
前記足場板を展開状態及び折畳み状態の夫々の状態でロックするロック機構と
を備えることを特徴とする折畳み式足場。
【請求項２】
前記一対の主脚間には、展開状態の足場板と面一となる主脚上部バーが横架されている
ことを特徴とする請求項１に記載の折畳み式足場。
【請求項３】
前記第一アームは、前記板部材に、該板部材の重心よりも外側の部位に軸支されている
ことを特徴とする請求項１または請求項２に記載の折畳み式足場。
【発明の詳細な説明】
【技術分野】
【０００１】
本発明は、折畳み式足場に関するものであり、詳しくは、不使用時には足場板をコンパクトに折畳むことができる折畳み式足場に関するものである。
【背景技術】
【０００２】
内装工事や低所の外装工事等の作業現場にでは、手軽に移動させることができる足場が用いられており、この足場として、不使用時には足場をコンパクトに折畳めるようにした折畳み式足場がある。例えば、特許文献１に記載の折畳み式足場等である。
【０００３】
ここで、特許文献１に記載された折畳み式足場は、足場板が、蝶番によって展開・折畳み可能に連結された左右一対の板部材からなるものであり、足場板を中央部分にて谷折りに折畳んでコンパクトに納めることができるものである。また、この折畳み式足場では、展開状態の足場板の四隅に脚が設けられており、左右の板部材の夫々は、左右の脚の上端に回動自在に支持されている。そして、足場板を中央部分にて谷折りに折畳んだ状態では、左右の脚の間に互いに折畳み状態となった足場板が収納される。
【発明の概要】
【発明が解決しようとする課題】
【０００４】
上述の折畳み式足場では、脚の上端に板部材が回動自在に支持され、折畳み状態では左右の脚の間に板部材が収納されるものであるため、一つ一つの板部材を脚の長さよりも長くすることができず、左右に長い足場板に採用することができない。
【０００５】
ところで、四隅に脚が設けられた足場板において、中央部分を山折りに折畳む方式とすることで、左右に長い足場板であっても折畳み可能とすることはできる。しかしながら、足場板を山折りに折畳むこととすると、折畳んだ状態では、全体の高さが、脚の長さに、山折りに折畳んだ足場板の長さ（足場板を構成する板部材の長さ）を加わえた寸法となってしまい、高さをコンパクトに納めることができなくなってしまう。
【０００６】
本発明は、上記実情を鑑みてなされたものであり、左右に長い足場板であっても谷折りに折畳んで高さをコンパクトに納めることのできる折畳み式足場の提供を課題とする。
【課題を解決するための手段】
【０００７】
上記課題を解決するために本発明の採った主要な手段は、
「前後一対の主脚と、
該主脚に昇降自在に組付けられたスライダと、
夫々前記主脚の左右に配置されると共に一端側が前記スライダに回動自在に支持された左右一対の板部材からなる足場板と、
一端側が前記主脚の下部に回動自在に支持され、他端側が前記板部材に回動自在に支持されて、前記スライダの上昇に応じて前記足場板を展開し、前記スライダの下降に応じて前記足場板を谷折りに折畳む第一アームと、
前記板部材に回動自在に支持された補助脚と、
一端側が前記スライダに回動自在に支持され、他端側が前記補助脚に回動自在に支持されて、前記補助脚を、前記スライダの上昇に応じて展開状態の足場板の支えとなる立設状態とし、前記スライダの下降に応じて折畳み状態の足場板に沿わした収納状態とする第二アームと、
前記足場板を展開状態及び折畳み状態の夫々の状態でロックするロック機構と
を備えることを特徴とする折畳み式足場」
である。
【０００８】
上記構成の折畳み式足場では、足場板が谷折りに折畳まれるのであるが、足場板を構成する各板部材の端部が、主脚に対して昇降するスライダに軸支されており、このスライダ部分にて谷折りに折畳まれることから、足場板が折畳まれると、各板部材の端部の位置がスライダの下降に伴って下がる。よって、足場板を折畳んだ状態において高さをコンパクトに納めることができる。
【０００９】
また、足場板を構成する板部材については、その長さが主脚の長さに束縛されず、主脚よりも長い板部材を採用することができる。よって、主脚の長さに関わらず、各板部材の長さを長くした左右に長い足場板を自由に設定することができる。
【００１０】
ところで、構成の折畳み式足場では、展開状態の足場板が、谷折りの折畳み部分にて主脚によって支えられている。よって、この谷折りの折畳み部分に作業者が乗ったとしても、谷折りの折畳み部分が撓み難く、足場としての高い安定性を確保することができる。
【００１１】
また、足場板を構成する夫々の板部材には、補助脚が設けられており、この補助脚は、足場板を展開状態とすると足場板の支えとなる立設状態となるものである。よって、作業者が足場板の端に乗ったとしても、折畳み式足場が倒れることがなく、この点からも、足場としての高い安定性を確保することができる。
【００１２】
上述した手段において、
「前記一対の主脚間には、展開状態の足場板と面一となる主脚上部バーが横架されている
ことを特徴とする折畳み式足場」
とするのが好適である。
【００１３】
谷折りに折畳み可能とした足場板では、展開状態の足場板において、作業者が谷折りに折畳まれる部分に乗ると、足場板を折畳む方向の力が加わり、展開状態の足場板にガタツキがあると不安定となる。また、折畳み式足場では、展開状態の足場板が使用中に折畳まれないように、展開した状態でロック機構によってロックがなされるのであるが、作業者が谷折りに折畳まれる部分に乗った状態でロックが何らかの原因で外れると、作業者の体重によって展開状態の足場板が折畳まれてしまう。
【００１４】
これに対して、上記構成の折畳み式足場では、左右一対の主脚間に主脚上部バーが横架されており、足場板を構成する左右一対の板部材は、主脚上部バーを挟んで左右に展開されたものとなる。また、主脚上部バーは、展開状態の足場板と面一となるものである。
【００１５】
よって、上記構成の折畳み足場では、展開状態の足場板において、作業者が谷折りに折畳まれる部分に乗ると主脚上部バーに足がかかることとなり、作業者の体重の全部が板部材に加わることがなく、展開状態の足場板にガタツキがあったとしても不安定となることがない。また、展開状態の足場板のロックが何らかの原因で外れたとしても、作業者は主脚上部バーに乗っていることから、展開状態の足場板が直ちに折畳まれてしまうことがない。
【００１６】
上述した手段において、
「前記第一アームは、前記板部材に、該板部材の重心よりも外側の部位に軸支されている
ことを特徴とする折畳み式足場」
とするのが好適である。
【００１７】
ここで、「板部材の重心よりも外側の部位」とは、谷折りに折畳まれる足場板において、谷折りとなる中央部側を内側とし、その内側ではない側、すなわち足場板の端部側の部位を示すものである。
【００１８】
谷折りに折畳まれる足場板では、折畳む際に板部材を持上げる力が必要となる。
【００１９】
そこで、上記構成の折畳み式足場では、第一アームによる板部材の軸支部位を板部材の重心よりも外側の部位とする。これにより、足場板を折畳む際に板部材を小さな力で持上げることができ、足場板を折畳む際の労力を軽減することができる。
【００２０】
なお、足場板を折畳む際に板部材を小さな力で持上げられるようにすると、足場板を展開する際には、板部材に大きな力を加えて板部材を押下げなければならなくなるのであるが、物を持上げる作業に比して、物を押下げる作業は力を入れ易い作業である。よって、足場板を展開する際に板部材に大きな力を加えなければならなくなったとしても、労力が大幅に増大することはない。
【発明の効果】
【００２１】
上述した通り、本発明によれば、左右に長い足場板であっても谷折りに折畳んで高さをコンパクトに納めることのできる折畳み式足場の提供することができる。
【図面の簡単な説明】
【００２２】
【図１】本発明に係る折畳み式足場の一例を示す図であり、足場板を展開した状態を示す斜視図である。
【図２】足場板を折畳む途中の状態を示す斜視図である。
【図３】足場板を折畳んだ状態を示す斜視図である。
【図４】足場板を展開した状態を示す正面図である。
【図５】足場板を折畳む途中の状態を示す正面図である。
【図６】足場板を折畳んだ状態を示す正面図である。
【図７】スライダ部分の要部拡大斜視図である。
【図８】スライダ部分の要部拡大斜視図である。
【発明を実施するための形態】
【００２３】
本発明に係る折畳み式足場の実施形態としての一例を、以下、図面に従って詳細に説明する。
【００２４】
図１〜図６に、本発明に係る折畳み式足場１の一例を示す。なお、図１及び図４に示す状態は、足場板３０ａを展開した状態であり、図２及び図５に示す状態は、足場板３０ａを折畳む途中の状態であり、図３及び図６に示す状態は、足場板３０ａを折畳んだ状態である。また、本書では、方向として、図１に示すように、矢印Ｘ方向を左右方向、矢印Ｙ方向を前後方向、矢印Ｚ方向を上下方向として説明する。
【００２５】
折畳み式足場１は、中央部分で谷折りに折畳まれる足場板３０ａと、展開状態の足場板３０ａを左右方向の中央部分で支える前後一対の主脚１０と、展開状態の足場板３０ａを四隅で支える補助脚２０とを備えている。
【００２６】
ここで、主脚１０は、互いに上下方向にスライド自在に挿嵌された第一主脚部材１１及び第二主脚部材１２によって構成されており、第一主脚部材１１及び第二主脚部材１２を互いにスライドさせることで主脚１０全体の長さを調節できるようにしてある。また、補助脚２０も、主脚１０と同様に、互いに上下方向にスライド自在に挿嵌された第一補助脚部材２１及び第二補助脚部材２２によって構成されており、第一補助脚部材２１及び第二補助脚部材２２を互いにスライドさせることで補助脚２０全体の長さを調節できるようにしてある。このように、本例の折畳み式足場１では、主脚１０全体の長さ及び補助脚２０全体の長さを調節できるので、作業現場に応じて足場板３０ａの高さを簡単に変更することができる。
【００２７】
主脚１０及び補助脚２０の夫々には、キャスターが取付けられており、足場板３０ａを展開した状態でも、足場板３０ａを折畳んだ状態でも、この折畳み式足場１を容易に移動させることができるようにしてある。ここで、主脚１０については、左右方向に突設するベースステー１６を有しており、このベースステー１６の左右両端にキャスターが取付けられている。そして、ベースステー１６は、中央部分が凹んだ形状となっており、この凹んだ部分に、第一主脚部材１１及び第二主脚部材１２が立設されている。
【００２８】
また、前後一対の主脚１０の間には、下部に主脚下部バー１３、上部に主脚上部バー１４、及び。下部左右の夫々に主脚側方バー１５が横架されており、前後一対の主脚１０が堅固な一体構造となっている。さらに、左右夫々の前後一対の補助脚２０の間には、上下の夫々に補助脚バー２３が横架されており、前後一対の補助脚２０が堅固な一体構造となっている。
【００２９】
足場板３０ａは、主脚上部バー１４を挟んで主脚１０の左右に設けられた左右一対の板部材３０から構成されており、各板部材３０は、骨組みを構成するフレーム３１、及び、フレーム３１に張設されたエクスパンドメタル等の張設材３２によって形成されている。ここで、足場板３０ａを展開した状態で左右の板部材３０間に位置する主脚上部バー１４は、展開状態の足場板３０ａと面一となるものであり、足場板３０ａの中央部分に乗った作業者は、この主脚上部バー１４に足をかけることになる。
【００３０】
主脚１０、より具体的に第二主脚部材１２には、昇降自在にスライダ６０が組付けられている。そして、このスライダ６０には、左右の夫々に延出する延出片６１が設けられており、この延出片６１に、板部材３０の主脚１０側の端部が回動自在に支持されている。また、主脚１０の下部には、左右に突出する突片１７が設けられており、この突片１７に第一アーム４０の一端側が回動自在に支持され、第一アーム４０の他端側が板部材３０のフレーム３１に回動自在に支持されている。このような構造により、スライダ６０の上昇に応じて左右一対の板部材３０からなる足場板３０ａが展開され、スライダ６０の下降に応じて足場板３０ａがスライダ６０部分にて谷折りに折畳まれる。
【００３１】
ここで、スライダ６０が昇降自在に組付けられた主脚１０、より具体的に第二主脚部１２は、第一主脚部材１１を介して、上述したように、ベースステー１６の凹んだ部分に立設されている。よって、中央部分を凹ませないストレート状のベースステーに立設した場合に比して、第二主脚部材１２の全体長を長く設定することができ、スライダ６０の昇降ストロークを大きく設定することができる。
【００３２】
また、図５に示すように、第一アーム４０は、板部材３０に、この板部材３０の重心Ｇよりも外側の部位に軸支されている。よって、展開状態の足場板３０ａを折畳むべく板部材３０を持上げようとした際には、板部材３０を小さな力で持上げるとができる。
【００３３】
足場板３０ａを構成する左右夫々の板部材３０には、その裏面側に補助脚２０が回動自在に支持されている。また、スライダ６０には、左右の夫々に垂下片６２が設けられており、この垂下片６２に第二アーム５０の一端側が回動自在に支持され、第二アーム５０の他端側が補助脚２０に回動自在に支持されている。このような構造により、補助脚２０は、スライダ６０を上昇させて足場板３０ａを展開状態とすると、足場板３０ａの四隅を支える立設状態となる一方で、スライダ６０を下降させて足場板３０ａを折畳み状態とすると、折畳まれた足場板３０ａに沿った収納状態となる。
【００３４】
ところで、この折畳み式足場１は、図４及び図６に示すように、足場板３０ａを展開状態及び折畳み状態の夫々の状態でロックするロック機構７０を備えている。次に、このロック機構７０の詳細を説明する。
【００３５】
図５に示すように、スライダ６０が昇降自在に組付けられた主脚１０の第二主脚部材１２の上部及び下部の夫々には、ロックプレート７１が設けられている。そして、図７及び図８に示すように、スライダ６０には、ピン装置６４が組付けられている。ここで、ピン装置６４は、進退自在であると共に前進方向に付勢されたピン（図示省略）を内蔵し、ノブ６５を引っ張ることによってピンを後退させることができる周知のピン装置６４であり、ロックプレート７１に穿設されたピン孔７２にピンを挿入することで、主脚１０に対してスライダ６０を昇降不能に固定し、もって、足場板３０ａを展開状態または折畳み状態にロックするものである。
【００３６】
なお、本例の折畳み式足場１では、スライダ６０を上昇させるとピン装置６４の前進状態のピンが上側のロックプレート７１に当接してスライダ６０のそれ以上の上昇が規制され、スライダ６０を下降させるとピン装置６４の前進状態のピンが下側のロックプレート７１に当接してスライダ６０のそれ以上の下降が規制される構造となっている。このような構造によって、板部材３０を単に押下げただけでは足場板３０ａが自動的に展開完了の状態とならず、板部材３０を単に持上げただけでは足場板３０ａが自動的に折畳み完了の状態とならないようにしてある。
【００３７】
具体的に、本例では、足場板３０ａを展開完了の状態とするには、ピン装置６４のノブ６５を引いてピンを後退させた上でハンドル６３を持ってスライダ６０を引上げて、ピン装置６４のピンが上側のロックプレート７１のピン孔７２に挿入可能な位置まで上昇させなければならず、足場板３０ａを折畳み完了の状態とするには、ピン装置６４のノブ６５を引いてピンを後退させた上でハンドル６３を持ってスライダ６０を押下げて、ピン装置６４のピンが下側のロックプレート７１のピン孔７２に挿入可能な位置まで下降させなければならないようにしてある。
【００３８】
このようなロック機構７０を採用すると、作業者によって意図的な操作を行わなければ足場板３０ａの展開作業及び折畳み作業を完了させることができないことから、作業者にとって、足場板３０ａの展開作業及び折畳み作業が完了したか否かを確実に確認することができる。
【００３９】
また、本例の折畳み式足場１では、前後一対の主脚１０の夫々にスライダ６０及びロック機構７０が設けられている。このため、本例の折畳み式足場１は、一方の主脚１０側の作業者と他方の主脚１０側の作業者との二人の作業者による堅実な操作を行わなければ、足場板３０ａの展開作業及び折畳み作業を行うことができないものとなっている。
【符号の説明】
【００４０】
１  折畳み式足場
１０  主脚
１１  第一主脚部材
１２  第二主脚部材
１３  主脚下部バー
１４  主脚上部バー
１５  主脚側方バー
１６  ベースステー
１７  突片
２０  補助脚
２１  第一補助脚部材
２２  第二補助脚部材
３０ａ  足場板
３０  板部材
３１  フレーム
３２  張設材
４０  第一アーム
５０  第二アーム
６０  スライダ
６１  延出片
６２  垂下片
６３  ハンドル
６４  ピン装置
６５  ノブ
７０  ロック機構
７１  ロックプレート
７２  ピン孔
【先行技術文献】
【特許文献】
【００４１】
【特許文献１】特開平１１−２５６８１２号公報
【図１】
2013002177.tif 000003
【図２】
2013002177.tif 000004
【図３】
2013002177.tif 000005
【図４】
2013002177.tif 000006
【図５】
2013002177.tif 000007
【図６】
2013002177.tif 000008
【図７】
2013002177.tif 000009
【図８】
2013002177.tif 000010